(57)【要約】【課題】ブラケットを改良するだけで棚固定の既存陳列棚を棚引き出し式の陳列棚に転換できる既存陳列棚の棚引き出し構造を提供すること。【解決手段】棚板の裏面とこの部分を支持するブラケットとに対応して凹凸を設け、これら凹凸を係合させることで棚板を動かないようにブラケットに支持させた既存陳列棚において、上記棚板５が備える両側板８の下縁をスライド部９とし、このスライド部９を上記ブラケット４の上部に設けたガイド溝１０に係合させて、棚板５の引き出し及び戻しが自在にできるようにしたこと。【選択図】図２
2008000374.tif 000002
【特許請求の範囲】
【請求項１】
棚板の裏面とこの部分を支持するブラケットとに対応して凹凸を設け、これら凹凸を係合させることで棚板を動かないようにブラケットに支持させた既存陳列棚において、
上記棚板が備える両側板の下縁をスライド部とし、このスライド部を上記ブラケットの上部に設けたガイド溝に係合させて、棚板の引き出しと戻しが自在にできるようにした
ことを特徴とする既存陳列棚の棚引き出し構造。
【請求項２】
上記棚板を重心がブラケットよりも前側へ移るように引き出したとき、棚板の上面へ係合して棚板後部の浮き上りを防止する部材を、上記ブラケットか、ブラケットを支持する支柱に取り付けて設けた
ことを特徴とする請求項１に記載の既存陳列棚の棚引き出し構造。
【請求項３】
上記棚板を後端部がブラケットの前端へ付くまで引き出したとき、上記棚板の浮き上がり部材に設けた制止部へ係合して棚板の引き出しを止める制限部材を、棚板の上面後端部に取り付けてある
ことを特徴とする請求項１及び請求項２に記載の既存陳列棚の棚引き出し構造。
【発明の詳細な説明】
【技術分野】
【０００１】
本発明は、既存陳列棚の固定の棚を引き出せるようにする既存陳列棚の棚引き出し構造に関する。
【背景技術】
【０００２】
従来、陳列商品の入れ出しを容易にするために棚を引き出し構造に設計製作した陳列棚は多く知られていて、新規に陳列棚を設備する店舗ではこれを導入すれば問題はない。（例えば特許文献１及び特許文献２）
【０００３】
しかしながら、棚固定の陳列棚を既に備えている店舗等では、これを棚引き出しの陳列棚に交換するためには多くの費用を要するので、既存の陳列棚の固定されている棚を引き出せるように改良できれば費用の節減が図れるため、このように改良できる技術の開発が業界においては強く要望されている。
【特許文献１】実登第２５３４７５４号
【特許文献２】実登第３０４３２８８号
【発明の開示】
【発明が解決しようとする課題】
【０００４】
本発明はこの現状に即してなされたもので、ブラケットを改良するだけで棚固定の既存陳列棚を棚引き出し式に転換することができる既存陳列棚の棚引き出し構造を提供することをその課題とする。
【課題を解決するための手段】
【０００５】
前記課題を解決するため本発明に係る既存陳列棚の棚引き出し構造は、下記の構成を採用することを特徴とする。
【０００６】
請求項１に係る発明は、棚板の裏面とこの部分を支持するブラケットとに対応して凹凸を設け、これら凹凸を係合させることで棚板を動かないようにブラケットに支持させた既存陳列棚において、上記棚板が備える両側板の下縁をスライド部とし、このスライド部を上記ブラケットの上部に設けたガイド溝に係合させて、棚板の引き出しと戻しが自在にできるようにしたこと。
【０００７】
請求項２に係る発明は、上記棚板を重心がブラケットよりも前側へ移るように引き出したとき、棚板の上面へ係合して棚板後部の浮き上りを防止する部材を、上記ブラケットか、ブラケットを支持する支柱に取り付けて設けたこと。
【０００８】
請求項３に係る発明は、上記棚板を後端部がブラケットの前端へ付くまで引き出したとき、上記棚板の浮き上がり部材に設けた制止部へ係合して棚板の引き出しを止める制限部材を、棚板の上面後端部に取り付けてあること。
【発明の効果】
【０００９】
請求項１に係る発明の効果  棚板を支持するブラケットをガイド溝を有するように改良して、このガイド溝へ棚板が備える両側板のスライド部を係合させると、棚板が固定の既存陳列棚を僅かな費用で棚引き出し式に転換して、重い商品の移動、補充、点検等を容易に手早く安全に行うことができる。
【００１０】
請求項２に係る発明の効果  棚の引き出しによりその重心がブラケットより前側へ移ると、棚板の上面後部に浮き上がり防止部材が係合して、棚板の後部を押えて棚を安定させるため、棚の引き出しが危険なく行えて、引き出した棚板上での商品の移動、補充、点検等も安全に行える。
【００１１】
請求項３に係る発明の効果  棚板を引き出すときその後端部がブラケットから外れそうになると、棚板に取り付けた制限部材が棚板の浮き上り防止部材に設けた制止部へ係合して棚板の引き出しを止めるので、棚板を引き落として商品を損傷したり、作業者が怪我をしたりすることがなくなる。
【発明を実施するための最良の形態】
【００１２】
以下に本発明に係る既存陳列棚の棚引き出し構造の実施形態を図面について説明する。
【００１３】
図１において符号Ａは、本発明の実施対象となる棚が固定の既存陳列棚を示す。この陳列棚Ａは、公知の通り壁面等に支持させて直立させた支柱１に、この支柱１に設けた受孔２へ係止鉤３を係合させてブラケット４を支持させ、該ブラケット４に裏面が接するように棚板５を乗せ、この棚板５の裏面のなるべく前側に長手方向の凸条６を複数条設けて、これら凸条６をブラケット４の上部に設けた複数の凹部７へ係合させることで、棚板５を移動しないようにブラケット４に支持させて棚固定としたものである。
【００１４】
図２〜図４において符号Ｂは、本発明に係る棚引き出し構造の実施により固定の棚板５を引き出し棚に変換した既存陳列棚を示す。この陳列棚Ｂは棚板５の両側に設けた側板８の下縁をスライド部９とし、このスライド部９をブラケット４の上部に設けたガイド溝１０へ係合させて、このガイド溝１０に沿ってスライド部９を前後の方向へスライドさせることで棚板５の引き出しと戻しが行われるようにする。
【００１５】
上記の通りブラケット４，４、の上部へガイド溝１０を形成するには、図５（ａ）に示す通り２枚のブラケット４，４を両者の間へスペーサー１１を挟み込んでボルト１２とナット１３で接合し、ブラケット４，４の上端部内面が溝壁１０ａとなり、スペーサー１０上面が溝底１０ｂとなるように形成するものであり、スペーサー１１は金属製であると、その上部を溝底１０ｂとして側板８のスライド部９を滑らせると、滑りが悪くて不快な音を発し易い。
【００１６】
そこで、スペーサー１１の上部をスライド部９が音を出さずに軽快に滑るように合成樹脂製等の滑り片１４を、図４に示す通り所定の間隔をおいて所要数取り付けるか、又は、スペーサー１１の全長に跨る長さの滑り片（図面省略）を取り付けるようにして、滑り片１４の上をスライド部９が滑り動くようにするか、或いは、図５（ｂ）に示す通り、２枚のブラケット４，４を接合するスペーサー１１として、間隔規制部１１ａを有するボルトを用い、このボルトの間隔規制部１１ａに合成樹脂製等のローラー１５を嵌合して、ブラケット４，４の間に挟み、スペーサー１１のねじ部１１ｂにナット１３を螺合させることで、ローラー１５の回転によってスライド部９が軽快に動くようにする。
【００１７】
また、ブラケット４は上記の通り２枚をスペーサー１1を挟んで接合した構造ではなく、板金のプレス加工によって図６に示す通りに成型し、２枚のブラケット４，４とスペーサー１1が一体化されているので接合操作を行う必要がないようにすることもできる。
【００１８】
図２〜図４において符号１６は、棚板５の浮き上がり防止部材を示す。この浮き上がり防止部材１６は、棚板５の表面に平行する横片１６ａを棚板５の側面に平行する縦片１６とで形成して、縦片１６ｂの下端をスペーサー１１へ接合することで、横片１６ｂが図２に示す通り棚板５の表面近くに位置して、棚板５の後部の浮き上がりを防止するとともに、この横片１６ｂの後部は後記制限部材を係合させて棚板５の引き出しを止める制止部１７としてある。なお、上記横片１６は棚板５の重心がブラケット４の前端よりも前側に移ると棚板５の表面が当ってこすれ合うことになるので、図２に示す通り合成樹脂の滑り駒１８を取り付けるか、図２の円内に示す通り棚板の表面へ転がり接触するローラー１８を取り付けるようにする。
【００１９】
図２〜図４において符号１９は、棚板５の引き出しを止める制限部材を示す。この制限部材１９は、棚板５の浮き上がり防止部材１６における横片１６bの後端である制止部１７へ係合するように棚板５の上面後部へ取り付けて、棚板５を引き出すとき棚板５の後端部がブラケット４の前端部へ近付くと、制止部１７へ係合して棚板５の引き出しを止め、棚板５を無造作に引き出してもブラケット４から外れ落ちないようにする。
【００２０】
上記実施形態は、制限部材１９を取り付けてない棚板５を、両側板８のスライド部９をブラケット４に設けたガイド溝１０に係合させて後方へ押し込むと、棚板５は図２及び図４（ａ）に示す通りスライド部９がガイド溝１０を滑ってブラケット４の上へ乗り、ブラケット４に支持される。この状態で棚板５の後端部上面へ制限部材１９を取り付けて置けば、必要に応じて棚板５を引き出すとき、棚板５はスライド部９がガイド溝１０を滑るため軽快に引き出されて、重心がブラケット４の先端よりも前側に移る位置に達したとき、前が下りに傾こうとして後端部が上がると、この部分に棚板５の浮き上がり防止部材１６の横片１６ｂが係合して浮き上がりを抑えるため、棚板５は安定して図４（ｂ）に示す位置までき出され、更に引き出すと危険な状態になるが、このときは、棚板５の上面後端部に設けた制限部材１９が、制止部１８に係合して棚板５を止めるので棚板５は限界位置まで引き出された状態で安定している。
【００２１】
図７〜図９は、棚板５の浮き上がり防止部材１６をブラケット４の支柱１へ取り付けて設けた実施形態を示す。この実施形態の棚板５の浮き上がり防止部材１６は、図７及び図９（ａ）に示す長さの２枚の張出片２０、２０を、後端に設けた係止鉤３を支柱１の受孔２へ係合させて支柱１へ取り付け、張出片２０、２０の前端部は制止部１７となる部材を挟んで接合することで２枚が平行を保つようにする。そして、張出片２０，２０の下縁が棚板５の上面へ接近して、棚板５を引き出すとき棚板５の後部が浮き上ろうとすると、この浮き上がりを抑えて棚板５を安定させるようにするものであって、張出片２０，２０の前端部は棚板５の重心がブラケット４の前端よりも前側へ移ると、棚板５の表面が当ってこすれ合うことになるので、図７に示す通り張出片２０，２０の間に挟んで制止部１７とした部材を棚板５の表面と転がり接触するローラーとするか、合成樹脂の滑り駒とするとよい。
【００２２】
この実施形態における棚板５の浮き上がり防止部材１６は、２枚の張出片２０，２０間の前端側に制止部１７が位置しているので、棚板５の引き出しを制限する制限部材１９は張出片２０，２０の間に位置するように棚板の上面後端部へ取り付けて、この制限部材１９を引き出される棚板５の後端部がブラケット４の前端へ近付くと、上記制止部１７へ係合させて棚板５の引き出しを止め、棚板５がブラケット４から外れ落ちることがないようにしたものであって、棚板５の引き出し構造については前記実施形態と同じであるので、説明を省略してある。
【産業上の利用可能性】
【００２３】
本発明は、店舗に設置された棚固定の既存の陳列棚を、部分改良によって棚引き出し式に転換して活用することができる。
【図面の簡単な説明】
【００２４】
【図１】棚固定の既存の陳列棚を示す斜視図。
【図２】固定の棚を引き出し棚にした既存の陳列棚の実施形態を示す斜視図。
【図３】同上陳列棚の構造を棚板を縦断して示す一部分の正面図。
【図４】（ａ）（ｂ）は、同上陳列棚の棚板の収まり状態と引き出し状態を示す側面図。
【図５】（ａ）（ｂ）は、同上陳列棚のブラケットの２例を拡大して示す正面図。
【図６】同上陳列棚のブラケットの更に他の例を拡大して示す正面図。
【図７】固定の棚を引き出し棚にした既存の陳列棚の他実施形態を示す斜視図。
【図８】同上陳列棚の構造を棚板を縦断して示す一部分の正面図。
【図９】（ａ）（ｂ）は、同上陳列棚の棚板の収まり状態と引き出し状態を示す側面図。
【符号の説明】
【００２５】
４  ブラケット
５  棚板
８  側板
９  スライド部
１０  ガイド溝
【図１】
2008000374.tif 000003
【図２】
2008000374.tif 000004
【図３】
2008000374.tif 000005
【図４】
2008000374.tif 000006
【図５】
2008000374.tif 000007
【図６】
2008000374.tif 000008
【図７】
2008000374.tif 000009
【図８】
2008000374.tif 000010
【図９】
2008000374.tif 000011